(57)【要約】  燃料を燃焼させるか、あるいは処理するエンジン用の付属装置は、回動可能に取り付けられたカバーを備えた下部ハウジング要素を有するハウジングを備え、これによってハウジングは、たとえば内燃機関のスパークプラグまで延在する導線のような高電圧導線にスナップ方式で取り付け可能となっている。半円形断面のコア(フェリ磁性特性を有する素材からなる)がハウジング内に存在し、このコアには高電圧導線を受ける凹部が形成されている。ハウジングのカバーを閉じたとき、高電圧導線はこの凹部内の適所でクランプされると共に保持される。フェリ磁性コアは高い抵抗率および低い磁気抵抗を有すると共に、それは好ましくはフェライトから形成される。
2007522382.tif 000002
【特許請求の範囲】
【請求項１】
燃料を燃焼させるかあるいは処理するエンジンあるいは装置のための付属装置であって、フェリ磁性特性を有する素材からなるコアを具備してなり、前記コアは長尺な形態のものであって、かつ高電圧導線を収容するよう構成された凹部が形成されており、高電圧導線をクランプすると共にそれを前記凹部内で保持するよう構成されたクランプ手段が存在し、
前記コアは非鉄素材からなるハウジング内に保持されると共に、前記ハウジングは、低磁界強度における高透磁率および低ヒステリシス損失を有する素材から形成された較正要素を収容するよう構成された手段を備えることを特徴とする付属装置。
【請求項２】
前記コアは、高抵抗率および低磁気抵抗を有する素材から形成されることを特徴とする請求項１に記載の付属装置。
【請求項３】
前記コアはフェライトから形成されることを特徴とする請求項１または請求項２に記載の付属装置。
【請求項４】
前記ハウジングは、下部ハウジング要素と、前記下部ハウジング要素に回動可能に連結された上部カバーとを有することを特徴とする請求項１ないし請求項３のいずれか１項に記載の付属装置。
【請求項５】
前記較正要素はパーマロイ(登録商標)から形成されることを特徴とする請求項１ないし請求項４のいずれか１項に記載の付属装置。
【請求項６】
前記ハウジングの内側部分は複数の離間したペグを備えると共に、前記較正要素は二つの離間したペグと係合するよう構成された二つの孔をそれぞれ備えることを特徴とする請求項１ないし請求項５のいずれか１項に記載の付属装置。
【請求項７】
前記クランプ手段は非鉄素材から形成されたクランププレートを具備してなることを特徴とする請求項１ないし請求項６のいずれか１項に記載の付属装置。
【請求項８】
前記クランププレートは、銅、銅合金、アルミニウムまたはアルミニウム合金から形成されることを特徴とする請求項７に記載の付属装置。
【請求項９】
前記クランププレートの一部はスナップ方式で取り外せるよう構成されることを特徴とする請求項７または請求項８に記載の付属装置。
【請求項１０】
フェライトインサートを選択的に収容するよう構成された少なくとも一つの孔が形成された要素を具備してなる少なくとも一つのグルーピングセッタをさらに備えることを特徴とする請求項１ないし請求項９のいずれか１項に記載の付属装置。
【請求項１１】
四つの動的グルーピングセッタが設けられることを特徴とする請求項１０に記載の付属装置。
【請求項１２】
実質的に図面を参照して説明しかつ図示した付属装置。
【請求項１３】
燃料を燃焼させるかあるいは処理するエンジンあるいは装置において使用される水素または水素化合物を活性化する方法であって、
フェリ磁性特性を呈する素材から形成されたコアを提供するステップであって、前記コアは前記エンジンあるいは装置の高電圧導線を受けるよう構成されたチャネルが形成されたものであるようなステップと、
前記高電圧導線が前記チャネル内に収容された状態で前記コアを適所に配置するステップと、
前記エンジンあるいは装置の運転中、前記コアおよび前記高電圧導線を前記相対的位置決め状態で保持するステップと、を具備することを特徴とする方法。
【請求項１４】
前記コアは、請求項１ないし請求項１２のいずれか１項に記載の付属装置のコアであることを特徴とする請求項１３に記載の方法。
【請求項１５】
前記エンジンあるいは装置は内燃機関であり、かつ前記高電圧導線はスパークプラグ導線であることを特徴とする請求項１３または請求項１４に記載の方法。
【請求項１６】
実質的に図面を参照して説明しかつ図示した、燃料を燃焼させるかあるいは処理するエンジンあるいは装置用の付属装置。
【請求項１７】
実質的に図面を参照して説明した燃料活性化方法。
【発明の詳細な説明】
【技術分野】
【０００１】
本発明は、燃料を燃焼させるかあるいは処理するエンジンあるいは装置のための付属装置に関し、さらに詳しくは、高電圧ケーブルによって高電圧電源に接続された一つ以上のスパークプラグを備えた内燃機関用の付属装置に関する。
【背景技術】
【０００２】
燃料を燃やすエンジンは、水素や、たとえばメタンまたはプロパンのような単純な炭化水素や、あるいはたとえばガソリンのような一層複雑な炭化水素を含む、多数のさまざまな燃料で運転可能である。
【発明の開示】
【発明が解決しようとする課題】
【０００３】
使用する燃料に関係なく、燃料を燃焼させるかあるいは処理するエンジンあるいは装置の運転特性を向上させることが望まれている。
【課題を解決するための手段】
【０００４】
本発明のある態様によれば、燃料を燃焼させるかあるいは処理するエンジンあるいは装置のための付属装置が提供され、この付属装置はフェリ磁性特性を有する素材からなるコアを具備してなり、このコアは長尺な形態のものであって、かつ高電圧導線を収容するよう構成された凹部が形成されており、高電圧導線をクランプすると共にそれをこの凹部内で保持するよう構成されたクランプ手段が存在し、コアは非鉄素材からなるハウジング内に保持されると共に、このハウジングは、低磁界強度における高透磁率および低ヒステリシス損失を有する素材から形成された較正要素を収容するよう構成された手段を備える。
【０００５】
好ましくは、上記コアは高抵抗率および低磁気抵抗を有する素材から形成される。
【０００６】
上記コアはフェライトから形成されるのが好都合である。
【０００７】
有利なことを言うと、上記ハウジングは、下部ハウジング要素と、この下部ハウジング要素に回動可能に連結される上部カバーとを有する。
【０００８】
上記較正要素はパーマロイ(登録商標)から形成されるのが好都合である。
【０００９】
好ましくは、上記ハウジングの内側部分は複数の離間したペグを備え、しかも上記較正要素はそれぞれ二つの離間したペグと係合するよう構成された二つの孔を備える。
【００１０】
上記クランプ手段が非鉄素材からなるクランププレートを具備してなることが好都合である。
【００１１】
有利なことを言うと、上記クランププレートは、銅、銅合金、アルミニウムあるいはアルミニウム合金から形成される。
【００１２】
好ましくは、上記クランププレートの一部は、スナップ方式で取り外されるよう構成される。
【００１３】
有利なことを言うと、本付属装置はさらに、フェライトインサートを選択的に収容するよう構成された少なくとも一つの孔が形成された要素を具備してなる少なくとも一つのグルーピングセッタをさらに備える。
【００１４】
四つのグルーピングセッタを設けるのが好都合である。
【００１５】
本発明の他の態様によれば、燃料を燃焼させるかあるいは処理するエンジンあるいは装置において使用される水素または水素化合物を含む燃料を活性化する方法が提供され、この方法は、フェリ磁性特性を呈する素材から形成されたコアを提供するステップであって、このコアはエンジンあるいは装置の高電圧導線を収容するよう構成されたチャネルが形成されたものであるようなステップと、高電圧導線がチャネル内に収容された状態でコアを適所に配置するステップと、エンジンあるいは装置の運転中、コアおよび高電圧導線を上記相対的位置決め状態で保持するステップとを具備する。
【００１６】
有利なことを言うと、上記エンジンあるいは装置は内燃機関であり、かつ高電圧導線はスパークプラグ導線である。
【発明を実施するための最良の形態】
【００１７】
本発明をさらに容易に理解できるようにするため、そしてそれによってそのさらなる特徴を認識できるようにするため、ここで図面を参照し、例として本発明について説明する。
【００１８】
まず図１を参照すると、本発明による付属装置は下部ハウジング要素１を備える。この下部ハウジング要素１は長尺な形態であり、しかもベース２を形成している。このベース２は、その上方で内側に延在する、内側を向くリップ４を担持する直立前面壁３を支持している。リップ４の内側縁部は上方を向く二つの離間したラグ５,６を支持する。リップ４の各端部には、軸方向に延在する突起７,８および隣接して上方に延在する当接部９,１０が設けられている。
【００１９】
ベース２はまた上方を向く後壁１１を支持し、この後壁１１は、その上側縁部に隣接しかつその各端部において、前方を向く垂直ラグ１２,１３を支持している。このラグはベース２の上で内側に延在している。
【００２０】
ラグ１２には、孔１３、ならびにこの孔１３の上方位置において突出ピップ(pip)１４が形成されている。このピップは、下部ハウジング要素１の残部から離れる方向に突出する。前方を向くラグ１３には、孔１５、ならびにこの孔１５の上方において外側を向くピップ１６が形成されている。このピップ１６は、下部ハウジング要素１の残部から離れる方向に外側を向いている。したがって、下部ハウジング要素２は実質的にチャネル形(溝形)要素の形態であることを理解されたい。
【００２１】
下部ハウジング要素１の第１の端部にはハウジング端部プレート２０が設けられる。この端部プレートの外縁部は、下部ハウジング要素１によって形成されるチャネルの断面の形状に対応する形状を有する。端部プレート２０は下部ハウジング要素１の端部に当接するような形状とされており、しかもそれは前方を向くラグ２に形成された孔１３と整列するよう構成された孔２１を、そしてこの孔２１の上方位置において、ピップ１４の一部を収容する寸法とされた、さらなる孔２２を有する。
【００２２】
突起７および当接部１０に隣接して存在する端部プレート２０の一部は、突起７を受けるような寸法とされた孔２３と、当接部９と固定的に係合するよう構成されたロックタブ２４とを備える。
【００２３】
端部片２０は、孔２１の下方の離間した位置に配置された、さらなる孔２５を備える。
【００２４】
下部ハウジング要素の他端には、上記孔２１,２２および２５に対応する孔３１,３２および３５を有し、さらに上記孔２３およびロックタブ２４に対応する孔３３およびロックタブ３４を有する、対応する端部プレート３０が設けられる。図１から分かるように、最外端部プレート３０はスナップ作用突起３５を備える。この突起は上側傾斜面すなわち斜面および下側水平面を有する。端部プレート２０は対応する突起を備えるが、図１には示されていない。
【００２５】
下部ハウジング要素１および端部プレート２０および３０は、アルミニウムのような非鉄金属から、あるいはたとえば高温シリコーンゴムのような、その他の非鉄素材から形成される。端部プレートは下部ハウジング要素１に装着されて、完全なハウジングの下側部分を形成する。
【００２６】
上記ハウジングの一端にはグルーピングセッタ(groupings setter)４０が設けられる。このグルーピングセッタ４０は、端部プレート２０に隣接配置されるよう構成されたプレートの形態である。セッタ４０には孔２２と整列する孔４１が形成され、しかも、孔２２内に収容されるよう構成された突出ボス４２と、孔２５内に収容されるよう構成された、さらなる突出ボス４３とが形成されている。
【００２７】
グルーピングセッタ４０は複数のさらなる孔４５(本実施形態では概して矩形状のものとして示されている)を備え、この孔はフェライトビット４６を収容する寸法となっている。フェライトビット４６はそれぞれ、孔４５内に摩擦嵌合状態で収容されるような寸法となっている。
【００２８】
上記ハウジングの他端には、ここでは説明を繰り返さない類似の特徴を備えた対応するグルーピングセッタ５０が設けられる。
【００２９】
同軸上に整列した孔５１,３１,１５,１３,２１および４１を貫通した状態で収容されるよう構成された連結軸６０が設けられ、これが上記構成要素を一つにまとめている。以下の説明から明らかとなるが、付加的構成要素が、ラグ１２とラグ１６との間に配置された軸６０の一部の上に設けられる。
【００３０】
下部ハウジング要素１内には、たとえばフェライト素材のようなフェリ磁性特性を呈する磁性素材、すなわち高抵抗率および低磁気抵抗を呈する素材からなるコア７０が収容される。フェライトは強磁性特性を有するセラミックイオン酸化物(ceramic ionoxide)化合物であり、ＭＯＦｅ２Ｏ３の一般式を有する(ここでＭは概してコバルト ニッケルあるいは亜鉛のような金属である)。ゆえに、フェライトは二価あるいは多価の金属を含むであろう。フェライトは所定の形状を持つよう焼結される。ここで説明する実施形態のコア７０は半円環状の断面を有する。コアの外面７１は、それが下部ハウジング要素１内に収容できるような寸法とされる。コアには二つの平坦な上面７２,７３が形成される。一方の平坦面は内側を向くリップ４の下方に収まるよう構成されており、他の面７３は内側を向くラグ１２および１３の最下縁部の下方に位置するよう構成されている。コアの中央部には半円形の軸方向に延在するチャネル７３が形成されており、このチャネルは、内燃機関のスパークプラグまで延在する高電圧ケーブルのような高電圧ケーブルをぴったりと収容するような寸法となっている。
【００３１】
図２に目を転じ、本発明による付属装置のさらなる構成要素について説明する。
【００３２】
二つのさらなるグルーピングセッタ８０,８１が図示されており、それぞれ、上で説明したグルーピングセッタ４０および５０の形状と同一の形状を有する。これらグルーピングセッタはまたフェライトインサートを受けるよう構成されており、しかも内側を向くラグ１２および１３の内面に隣接して位置するよう配置されている。グルーピングセッタ８０,８１間には回動可能に取り付けられたプレート９０が設けられている。プレート９０は長尺なものであり、その両端には直立したクランク状アーム９１,９２を有し、そのそれぞれには軸６０の一部を受けるための孔９３,９４が形成されている。プレート９０の一方の縁部には城郭(castellations)形状のパチンと取り外せる(snap-off)要素９５が設けられている。これらの要素は選択的にスナップ方式で取り外し可能である。上記プレートは、非鉄素材、たとえば銅、銅合金、アルミニウムあるいはアルミニウム合金から形成される。
【００３３】
半径方向外側に向けられたブリッジ片１０３によって相互連結された二つのヘリカルコイル１０１,１０２を具備してなるクランプスプリング１００が設けられている。コイルの端部は内側であって軸方向を向くフィンガー１０４,１０５を備える。スプリング１００は、同軸上に整列したヘリカルコイル１０１,１０２を貫通した状態で軸６０を受けるよう構成されている。延在部を突出させている半径方向を向くブリッジ片１０３は、下部ハウジング要素の後壁１１の一部に当接するよう構成されており、しかも内側を向くフィンガー１０４および１０５は、回動可能に取り付けられたプレート９０に対して回動付勢力を付与するためクランク状アーム９１および９２と係合するよう構成されている。以下で説明するように、回動可能に装着された上記プレートは高電圧ケーブルと固定的に係合し、そしてコア７０によって形成されたチャネル７３内で高電圧ケーブルを保持するように機能し、これによってコアを高電圧ケーブルに対して固定する。
【００３４】
カバー１２０が設けられるが、このカバーは図２に、そしてまた図３にも示す。このカバーは上部プレート１２１を具備してなり、この上部プレート１２１は、その各縁部に垂下壁１２２,１２３を有する。壁１２２には軸６０を収容する孔１２４が形成されており、そして垂下壁１２３には同様の孔１２５が形成されている。上記カバーが軸６０に装着された場合、それは開ポジションと閉ポジションとの間で、ハウジングの残部に対して回動可能となる。
【００３５】
上面プレート１２１の前方縁部は傾斜したプレート１２６を支持しており、この傾斜プレートは上側プレート１２２よりも、わずかに大きな幅を有する。傾斜プレート１２６の各端部には、下方に延在する、わずかに弾力性のあるスナップ作用ラグ１２７,１２８が存在する。スナップ作用ラグ１２７には孔１２９が形成されており、そしてスナップ作用ラグ１２８には孔１３０が形成されている。
【００３６】
以下の説明から明らかとなるが、カバー１２０は、孔１２９および１３０が、下部ハウジング要素１に接合された端部プレート２０および３０に設けられたスナップ作用当接部２５および３５と係合状態となるよう、スナップ作用ラグ１２７および１２８を動かすことによって、閉ポジションへと動作させることができる。
【００３７】
上面プレート１２１の下面には、規則正しいペグの列を形成している複数の離間したペグ１３１が設けられている。傾斜したペグ１２６の下面にも、同じように離間した対応する複数のペグ１３３が設けられている。図４にはペグ１３１の列を示すが、ペグ１３３の列も同じものである。
【００３８】
複数のバランス取り要素１３４,１３５,１３６が設けられる。このバランス取り要素は形状が異なっている。図４Ａ、図４Ｂおよび図４Ｃから一層明確に分かるように、各バランス取り要素１３４,１３５,１３６は、その各端部に孔を有する概して長尺な形態のものであり、各要素の孔は二つのペグ間の間隔と等しい距離だけ離間しており、しかもペグの直径と実質的に等しい直径を有し、各要素の中間部分は、上記要素の各端部における孔を二つのペグと整列させ、そして上記要素を適所へと押し込むことによって上記要素を適所にパチンと嵌め込むことができるよう構成されている。バランス取り要素のいくつかの例を図示したが、他の形状のバランス取り要素を用いることも可能である。バランス取り要素は、低い磁界強度における高透磁率を、そして好ましくは低ヒステリシス損失を有する素材から形成される。使用可能な典型的素材はパーマロイ(登録商標)である。他方で、カバーは、たとえばアルミニウムのような非鉄金属、あるいはたとえば高温シリコーンゴムのような、その他の非鉄素材から形成される。
【００３９】
図５には、一つに組み立てられた状態で、図１、図２および図３のさまざまな構成要素を図示しており、しかもチャネル７３内の適所に収まった高電圧ケーブル１４０を示している。プレート９０は持ち上がった位置で示されており、しかもスプリング１００によって、それに加えられる付勢力に抗してその位置で保持されている。このプレートを自由にしたとき、それはコア７０内の適所で高電圧ケーブル１４０をクランプするよう機能する。このカバーは続いて閉ポジションまで動くことができる。本付属装置は、こうして図５に示す状態となる。
【００４０】
上述した本付属装置を、内燃機関のスパークプラグまで延びる高電圧ケーブルのような高電圧ケーブルに装着した場合、エンジン効率が改善されることが判明した。
【００４１】
以下の説明によって拘束されることを望むわけではないが、コア７０(これはフェリ磁性特性を呈する素材、たとえばフェライト素材からなる)は、スパークプラグがスパークするとき高電圧ケーブルを経て連続した電気パルスが流れる際に生成される高エネルギー電界の中に置かれると考えられる。続いて、高エネルギー電磁界が上記コアから放射状に広がる。この高エネルギー電磁界が燃料に作用する。
【００４２】
分子レベルで見たとき炭化水素燃料は、基本的な「かご状」構造を呈していると考えられる。炭化水素の各分子は炭素原子からなる中心「背骨」を具備してなり、これは、この炭素背骨によって担持された水素原子によって取り巻かれている。その結果、炭素の酸化は炭化水素の分子構造によって妨げられると考えられる。その上、炭化水素分子は結び付いて「擬似化合物(pseudo compounds)」の形態のより大きな分子群になると考えられる。そうした群は結合してクラスタを形成する。これによって、そうした分子群の内部への適量の酸素の到達が、さらに妨げられる。磁界は炭化水素を活性化し、そうした結合を分断すると考えられる。
【００４３】
燃料が水素である場合、水素原子は正電荷を担持する一つの陽子と、負電荷を担持する一つの電子とからなり、したがってダイポールモーメントを有することを理解されたい。原子は、そのスピンの相対的向きに依存して反磁性または常磁性(磁束に対するより弱いあるいはより強い反応)のいずれかを呈し得る。ゆえに、水素は全ての元素の中で最も単純なものではあるが、二つの別個の異性種(異なる反対の原子核スピンによって特徴付けられ、かつ「パラ」および「オルト」と呼ばれる)が存在すると考えられている。したがって、パラ水素分子(これは二つの水素原子を持つ)に関しては、一方の原子の他方に対するスピン状態は逆向きであり、それを反磁性とする。他方、オルト分子に関しては、スピンは平行であり、二つの原子に関して同じ向きである。こうした分子は常磁性である。パラ水素は磁気的刺激によって、より高エネルギーのオルト水素に転化し得ると考えられており、したがって本発明の付属装置によって生じる磁界は、水素燃料の少なくとも一部を極めて一層活性化されたオルト水素状態へと転化すると考えられる。
【００４４】
類似の効果は、炭化水素ガス、たとえばメタンあるいはプロパンが利用される場合にも確認され、この場合、磁界がガスの分子を活性化するよう機能する。
【００４５】
ここで説明した実施形態に関し、上記付属装置に対して、さまざまな調整あるいは較正をなすことが可能である。この調整または較正は、試行あるいはエラーバイアスに関してなされてもよく、あるいはそれと関連付けて本付属装置が使用されることになるエンジンの、ある特性またはパラメーターに依存して予め決定されてもよい。
【００４６】
本付属装置を調整すなわち較正する第１の段階は、バランス取りプレートと見なすことができる回動可能に取り付けられたプレート９０を調整することによるであろう。プレート９０に設けられたパチンと取り外せる突起すなわち城郭部９５のいくつかは、ハーネッシング(harnessing)効果を改善するために除去可能である。さらなる調整は、上面カバー１２０内にインサート１３４を選択的に導入することによって実施できる。このインサートは散乱効果の最適利用を実現するよう配置される。
【００４７】
なし得ることができる最終的調整は、グルーピングセッタ４０,５０,８０および９０にこの目的のために設けた孔内に、フェライト要素を選択的に挿入することによって実現される。
【００４８】
本発明について内燃機関のスパークプラグにつながる高電圧導線上での上記付属装置の使用に関して説明してきたが、本付属装置は、たとえば水素または炭化水素のような水素含有燃料を燃焼させるかあるいは処理する他のタイプのエンジンあるいは装置と共に使用可能であることを理解されたい。たとえば、本付属装置はディーゼルエンジンと共に使用できる。本付属装置がディーゼルエンジンと共に使用される場合、その上に本付属装置が装着されることになる、変化する電流を流す高電圧導線を設けることが必要となる。さらに上記付属装置は、水素含有燃料を燃焼させるかあるいは処理する他のエンジンあるいは装置、たとえば発電施設で使用されるエンジンのようなタービンまたは他の燃料燃焼エンジン、あるいは水素化合物を燃焼させるかあるいは処理する他の装置と共に使用可能である。
【００４９】
本明細書において、「〜を具備してなる」とは、「〜を含む」あるいは「〜から構成される」を意味する。
【００５０】
上で説明した特徴、あるいは特許請求の範囲、あるいは添付図面(その特定の形態にてまたは開示された機能を発揮するための手段に関して表現されている)、あるいは開示した結果を得るための方法またはプロセスは、適宜、別個に、あるいはそうした特徴を組み合わせて、そのさまざまな形態で本発明を具現化するために利用可能である。
【図面の簡単な説明】
【００５１】
【図１】本発明による付属装置の構成要素を分解状態で示す図である。
【図２】図１の構成要素と組み合わされる本発明の一実施形態のさらなる構成要素を分解状態で示す図である。
【図３】図２の構成要素のいくつかを示す、別の視点からの説明図である。
【図４Ａ】ある形態に関して図３の構成要素の一つの一部を示す図である。
【図４Ｂ】別な形態に関して図３の構成要素の一つの一部を示す図である。
【図４Ｃ】さらに別な形態に関して図３の構成要素の一つの一部を示す図である。
【図５】組立て状態で図１および図２の構成要素を示す図である。
【図６】高電圧ケーブルに結合された本付属装置を示す図である。
【符号の説明】
【００５２】
１  下部ハウジング要素
２  ベース
３  直立前面壁
４  リップ
５,６  ラグ
７,８  突起
９,１０  当接部
１１  後壁
１２,１３  垂直ラグ
１４,１６  ピップ
１５  孔
２０  ハウジング端部プレート
２１〜２３,２５  孔
２４  ロックタブ
３０  端部プレート
３１〜３３  孔
３４  ロックタブ
３５  スナップ作用突起
４０  グルーピングセッタ
４１,４５  孔
４２,４３  突出ボス
４６  フェライトビット
５０,５１  グルーピングセッタ
６０  連結軸
７０  コア
７１  外面
７２  上面
７３  チャネル
８０,８１  グルーピングセッタ
９０  プレート
９１,９２  クランク状アーム
９３,９４  孔
９５  突起(城郭部)
１００  クランプスプリング
１０１,１０２  ヘリカルコイル
１０３  ブリッジ片
１０４,１０５  フィンガー
１２０  カバー
１２１  上部プレート
１２２,１２３  垂下壁
１２４,１２５  孔
１２６  プレート
１２７,１２８  スナップ作用ラグ
１２９,１３０  孔
１３１,１３３  ペグ
１３４〜１３６  バランス取り要素
１４０  高電圧ケーブル
【図１】
2007522382.tif 000003
【図２】
2007522382.tif 000004
【図３】
2007522382.tif 000005
【図４Ａ】
2007522382.tif 000006
【図４Ｂ】
2007522382.tif 000007
【図４Ｃ】
2007522382.tif 000008
【図５】
2007522382.tif 000009
【図６】
2007522382.tif 000010
【国際調査報告】
2007522382.tif 000011
2007522382.tif 000012
2007522382.tif 000013